(57)【要約】【目的】  記録媒体に対する情報の記録品質の悪化を防いでライトエラー又は読み出しエラーにならないようにする。【構成】  ドライブコントローラ１０は、光ディスク１３への情報の記録時、光ディスク１３に予め指定された記録速度で上記情報の内の所定記録単位の情報を記録した後に記録動作を一時停止し、光ディスク１３に記録した上記所定記録単位の情報に基づいて光ディスク１３に記録した情報の記録品質を示す記録品質値を求め、その求めた記録品質値が予め設定した基準値以上のときには上記予め指定された記録速度よりも低速の記録速度にして光ディスク１３への記録動作を再開し、上記求めた記録品質値が上記基準値未満のときには上記予め指定された記録速度のままで光ディスク１３への記録動作を再開する。【選択図】        図１
2006244670.tif 000002
【特許請求の範囲】
【請求項１】
記録媒体に情報を記録する手段を備えた情報記録装置において、
前記記録媒体への情報の記録時、前記記録媒体に予め指定された記録速度で前記情報の内の所定単位の情報を記録した後に記録動作を一時停止し、前記記録媒体に記録した前記所定単位の情報に基づいて前記記録媒体に記録した情報の記録品質を示す記録品質値を求め、該求めた記録品質値が予め設定した基準値以上のときには前記予め指定された記録速度よりも低速の記録速度にして前記記録媒体への記録動作を再開し、前記求めた記録品質値が前記基準値未満のときには前記予め指定された記録速度のままで前記記録媒体への記録動作を再開する制御をする制御手段を設けたことを特徴とする情報記録装置。
【請求項２】
記録媒体に情報を記録する手段を備えた情報記録装置において、
前記記録媒体への情報の記録時、前記記録媒体に予め指定された記録速度で前記情報の内の所定単位の情報を記録する毎に記録動作を一時停止し、前記記録媒体に記録した前記所定単位の情報に基づいて前記記録媒体に記録した情報の記録品質を示す記録品質値を求め、該求めた記録品質値が予め設定した基準値以上のときには前記予め指定された記録速度よりも低速の記録速度にして前記記録媒体への記録動作を再開し、前記求めた記録品質値が前記基準値未満のときには前記予め指定された記録速度のままで前記記録媒体への記録動作を再開する制御をする制御手段を設けたことを特徴とする情報記録装置。
【請求項３】
請求項１又は２記載の情報記録装置において、前記制御手段に、前記基準値を複数段階設定し、該各基準値以上毎に前記予め指定された記録速度よりも低速の記録速度の種類を異ならせる手段を設けたことを特徴とする情報記録装置。
【請求項４】
請求項１乃至３のいずれか一項に記載された情報記録装置において、前記制御手段に、前記予め指定された記録速度よりも低速の記録速度にしたときには記録速度を減速したことを示す情報を報知する手段を設けたことを特徴とする情報記録装置。
【請求項５】
請求項１乃至４のいずれか一項に記載された情報記録装置において、前記制御手段に、前記制御を行うか否かを設定する手段を設けたことを特徴とする情報記録装置。
【請求項６】
請求項１乃至５のいずれか一項に記載された情報記録装置において、前記記録品質値はエラーレートであることを特徴とする情報記録装置。
【請求項７】
請求項１乃至５のいずれか一項に記載された情報記録装置において、前記記録品質値はジッタであることを特徴とする情報記録装置。
【請求項８】
請求項１乃至５のいずれか一項に記載された情報記録装置において、前記記録品質値はエラーレート及びジッタであることを特徴とする情報記録装置。
【発明の詳細な説明】
【技術分野】
【０００１】
この発明は、ＤＶＤ記録装置、ＣＤ記録装置を含む情報記録装置に関する。
【背景技術】
【０００２】
ＣＤ−Ｒディスク、ＣＤ−ＲＷディスク、ＤＶＤ＋Ｒディスク、ＤＶＤ＋ＲＷディスク、ＤＶＤ−Ｒディスク、ＤＶＤ−ＲＷディスク、ＤＶＤ−ＲＡＭディスクなどの追記もしくは書き換えが可能な光ディスクに情報を記録する光ディスク装置について、最近では、例えばＤＶＤ系ディスクには１６倍速、１２倍速で記録が可能であり、ＣＤ系ディスクには５４倍速といった高速の記録速度で記録が可能な装置が増えてきている。
記録可能な光ディスクに対して上記のような高速の記録速度で情報を記録する場合、光ディスクの機械特性が悪いなどの理由で光ディスクの外周部になるにつれて記録品質が悪化し、外周部への書き込みがエラー（「ライトエラー」という）になったり、書き込み後に読み出せなくなったりするという不具合があった。
【０００３】
特に、光ディスクに角速度一定（Ｃｏｎｓｔａｎｔ  Ａｎｇｕｌａｒ  Ｖｅｌｏｃｉｔｙ：ＣＡＶ）方式で情報を記録する場合、光ディスクの外周側に行くにつれて線速度が速くなり、それと共にサーボが不安定になるので、記録品質が悪化し易く、外周部でライトエラーとなったり、書き込み後に読み出せなくなったりする傾向が特に見られる。
【０００４】
また、光ディスク装置においては光ディスクに情報を記録する場合、その光ディスクの製造元やメディアタイプに基づいて最大の記録速度を自動的に設定して記録したり、その最大の記録速度以内でユーザが指定した記録速度で記録するようにしていた。
ところが、いわゆる粗悪ディスクと言われる機械特性の悪い光ディスクが市場に存在し、また、同一種別の光ディスクであっても、その製造ばらつきによって機械特性の悪い光ディスクも存在するため、そのような機械特性の悪い光ディスクに情報を記録をする場合においても、前述の光ディスクによる最大の記録速度もしくはそれ以内のユーザ指定の記録速度で記録をすると、光ディスクの機械特性が悪いために記録中のサーボが安定せずに記録品質が悪くなり、ライトエラー又は読み出しエラーになってしまう虞があった。
【０００５】
従来、光ディスクにＺＣＬＶ方式で情報を記録する場合、光ディスクの各ゾーン毎に予めサーボ乱れのレベルをチェックし、そのチェック結果に基づいて各ゾーンのサーボ乱れのレベル値を記憶し、光ディスクに情報を記録するとき、各ゾーン毎に記憶されているレベル値に基づいて記録速度を維持したり低減したりして記録速度を設定し、その記録速度で情報を記録する情報記録装置（例えば、特許文献１参照）があった。
【特許文献１】特開２００２−３２４３２２号公報
【発明の開示】
【発明が解決しようとする課題】
【０００６】
しかしながら、従来の情報記録装置では、光ディスクに情報を記録する前に測定したサーボ乱れのレベルに基づいて情報記録時の記録速度を決定し、その決定した記録速度で記録するので、記録中に記録品質が悪化した場合にライトエラー又は読み出しエラーになってしまう虞があるという問題があった。
この発明は上記の点に鑑みてなされたものであり、記録媒体に対する情報の記録品質の悪化を防いでライトエラー又は読み出しエラーにならないようにすることを目的とする。
【課題を解決するための手段】
【０００７】
この発明は上記の目的を達成するため、次の情報記録装置を提供する。
（１）記録媒体に情報を記録する手段を備えた情報記録装置において、上記記録媒体への情報の記録時、上記記録媒体に予め指定された記録速度で上記情報の内の所定単位の情報を記録した後に記録動作を一時停止し、上記記録媒体に記録した上記所定単位の情報に基づいて上記記録媒体に記録した情報の記録品質を示す記録品質値を求め、その求めた記録品質値が予め設定した基準値以上のときには上記予め指定された記録速度よりも低速の記録速度にして上記記録媒体への記録動作を再開し、上記求めた記録品質値が上記基準値未満のときには上記予め指定された記録速度のままで上記記録媒体への記録動作を再開する制御をする制御手段を設けた情報記録装置。
【０００８】
（２）記録媒体に情報を記録する手段を備えた情報記録装置において、上記記録媒体への情報の記録時、上記記録媒体に予め指定された記録速度で上記情報の内の所定単位の情報を記録する毎に記録動作を一時停止し、上記記録媒体に記録した上記所定単位の情報に基づいて上記記録媒体に記録した情報の記録品質を示す記録品質値を求め、その求めた記録品質値が予め設定した基準値以上のときには上記予め指定された記録速度よりも低速の記録速度にして上記記録媒体への記録動作を再開し、上記求めた記録品質値が上記基準値未満のときには上記予め指定された記録速度のままで上記記録媒体への記録動作を再開する制御をする制御手段を設けた情報記録装置。
【０００９】
（３）上記（１）又は（２）の情報記録装置において、上記制御手段に、上記基準値を複数段階設定し、その各基準値以上毎に上記予め指定された記録速度よりも低速の記録速度の種類を異ならせる手段を設けた情報記録装置。
（４）上記（１）〜（３）のいずれかの情報記録装置において、上記制御手段に、上記予め指定された記録速度よりも低速の記録速度にしたときには記録速度を減速したことを示す情報を報知する手段を設けた情報記録装置。
（５）上記（１）〜（４）のいずれかの情報記録装置において、上記制御手段に、上記制御を行うか否かを設定する手段を設けた情報記録装置。
【００１０】
（６）上記（１）〜（５）のいずれかの情報記録装置において、上記記録品質値はエラーレートである情報記録装置。
（７）上記（１）〜（５）のいずれかの情報記録装置において、上記記録品質値はジッタである情報記録装置。
（８）上記（１）〜（５）のいずれかの情報記録装置において、上記記録品質値はエラーレート及びジッタである情報記録装置。
【発明の効果】
【００１１】
この発明による情報記録装置は、記録媒体に対する情報の記録品質の悪化を防いでライトエラー又は読み出しエラーにならないようにすることができる。
【発明を実施するための最良の形態】
【００１２】
以下、この発明を実施するための最良の形態を図面に基づいて具体的に説明する。
〔実施例〕
図１は、この発明の実施例のＣＤ／ＤＶＤ再生記録ドライブ装置の構成を示すブロック図である。
このＣＤ／ＤＶＤ再生記録ドライブ装置１は、ＣＤ、ＣＤ−Ｒディスク、ＣＤ−ＲＷディスク、ＤＶＤ＋Ｒディスク、ＤＶＤ＋ＲＷディスク、ＤＶＤ−Ｒディスク、ＤＶＤ−ＲＷディスク、ＤＶＤ−ＲＡＭディスクを含む記録媒体である光ディスク１３をＣＡＶ方式又は線速度一定方式（「ＣＬＶ方式」という）で回転可能なモータ２と、そのモータ２の回転を制御する回転制御部３と、光ディスク１３に情報の記録又は再生のためのレーザ光Ｌを発光して照射し、光ディスク１３からの反射光を受光する光ピックアップ４を備えている。
【００１３】
また、光ピックアップ４のレーザ光Ｌの発光駆動を制御するレーザ駆動部５と、光ピックアップ４を光ディスク１３の半径方向及び垂直方向に移動させるための動作を制御するアクチュエータ制御部６と、光ピックアップ４から出力される光ディスク１３からの反射光に応じた再生信号及び光ピックアップ４に出力する記録信号（光ディスク１３に記録する記録情報）を制御する信号制御部７と、ドライブコントローラ１０が実行するファームウェア（Ｆ／Ｗ）プログラム及び様々なパラメータを保存する不揮発性メモリ（フラッシュロム：Ｆｌａｓｈ  ＲＯＭ）８と、光ディスク１３に読み書きされる情報を一時的に蓄えるバッファメモリ９を備えている。
【００１４】
さらに、光ディスク１３に対する情報の書き込み（ライト）と光ディスク１３からの情報の読み出し（リード）と、サーボ動作制御と、光ディスク１３に情報を記録中にエラー訂正をし、再生信号に基づくエラーレート又はジッタの記録品質値を求めてこの発明に係る記録速度を制御する処理を含む各種の処理を行うマイクロコンピュータ（ＣＰＵ）であるドライブコントローラ１０を備えている。
そして、ＡＴＡ／ＡＴＡＰＩインタフェース１１を介してホストコンピュータ１２を接続し、ホストコンピュータ１２との間で各種の情報をやり取り可能である。
すなわち、上記ドライブコントローラ１０の制御に基づいて上記各部がそれぞれこの発明に係る各種の手段の機能を果たす。
【００１５】
次に、図１に示すＣＤ／ＤＶＤ再生記録ドライブ装置の記録処理について説明する。
この記録処理では、光ディスク１３に記録した情報の記録品質を示す記録品質値として、エラーレートとジッタの２種類の値を用いる。
図２は、ＥＣＣブロックのフォーマットを示す図である。
ＥＣＣブロックは、横方向のＰＩ、縦方向のＰＯの２重にエラー訂正を行っており、そのとき１ＥＣＣブロック中に横方向のＰＩでエラー訂正したバイト数の合計をエラーレート（ＢＬＥＲ：ブロックエラーレート）という。
ＤＶＤの場合、１６セクタを１ＥＣＣブロックにまとめ、その１ＥＣＣブロック単位でエラー訂正を行う。
【００１６】
ＣＤの場合、サーク（Ｃｒｏｓｓ  Ｉｎｔｅｒｌｅａｖｅ  Ｒｅｅｄ  Ｓｏｌｏｍｏｎ  Ｃｏｄｅ：ＣＩＲＣ）という方式でエラー訂正を行っており、それはＣ１，Ｃ２の２系列を使いエラー訂正を行う方式である。
そのとき、７５セクタ中のＣ１エラーを訂正したバイト数の合計をエラーレート（ＢＬＥＲ：ブロックエラーレート）という。そのエラーレートを基準にして記録品質の評価を行うことができる。
また、ジッタとは、信号を読み取る際の時間軸方向の信号のずれのことをいう。
このジッタの値が大きい場合は、光ディスク１３の記録品質が悪く、ジッタの値が小さい場合は記録品質が良いと判断できる。
なお、エラーレートとジッタには必ずしも相関があるとは言えない。
【００１７】
図３は、図１に示すＣＤ／ＤＶＤ再生記録ドライブ装置の記録処理を示すフローチャート図である。
この記録処理では、例えば、光ディスク１３がＤＶＤ＋Ｒディスクであり、光ディスク１３に情報を記録する際に予め指定された記録速度として１６倍速の記録速度を設定し、記録方式はＣＡＶ方式を採用する。
また、光ディスク１３に記録した情報の記録品質を示す記録品質値として、エラーレートとジッタの両方を採用する。また、記録速度を減速するときの基準値として、エラーレートについては１番目の基準値１０００と２番目の基準値５００の２種類を、ジッタについては１番目の基準値１１％と２番目の基準値１０％の２種類をそれぞれ用いる。
【００１８】
したがって、エラーレートが予め設定した１番目の基準値である１０００以上のとき、又は、ジッタが予め設定した１番目の基準値である１１％以上のときには１６倍速よりも低速の４倍速の記録速度に減速して記録動作を行い、エラーレートが予め設定した２番目の基準値である５００以上のとき、又は、ジッタが予め設定した２番目の基準値である１０％以上のときには１６倍速よりも低速の８倍速の記録速度に減速して記録動作を行う。
すなわち、エラーレートが１０００以上のとき又はジッタが１１％以上のときには４倍速まで記録速度を減速して記録動作を行い、エラーレートが５００以上１０００未満のとき又はジッタが１０％以上１１％未満のときには８倍速まで記録速度を減速して記録動作を行い、それ以外のときには１６倍速の記録速度を維持して記録動作を行う。
【００１９】
このようにして、エラーレートとジッタに対する基準値を複数段階設定し、その各基準値以上毎に予め指定された記録速度である１６倍速よりも減速する記録速度の種類を４倍速と８倍速に異ならせるようにする。したがって、記録品質の悪さの程度に応じてより適切な記録速度まで低減することができる。
【００２０】
図３に示すように、ドライブコントローラ１０は、ホストコンピュータ１２から情報記録の指示と情報を受け取ると、その記録する情報をバッファメモリ９に記憶し、ステップ（図中「Ｓ」で示す）１で光ディスクに１６倍速のＣＡＶ方式で記録を開始し、ステップ２で記録する情報の内の所定単位：１００００ｈの情報を記録した後に記録処理（記録動作）を一時停止し、予め設定した所定位置（上記記録した情報の終端アドレスから１００ｈ前のアドレス）に記録した情報を再生して記録品質値であるエラーレートとジッタを求める。
【００２１】
ステップ４でエラーレートが１番目の基準値１０００以上又はジッタが１番目の基準値１１％以上か否かを判断し、エラーレートが１０００以上のとき又はジッタが１１％以上のときには、記録品質がかなり悪いので、ステップ７へ進んで１６倍速よりも２段階低速の４倍速の記録速度に減速して記録動作を再開し、ステップ９でＡＴＡ／ＡＴＡＰＩインタフェースを介してホストコンピュータへ記録速度を減速したことを知らせる情報を報知し、ステップ６へ進む。
【００２２】
また、ステップ４でエラーレートが１０００以上でもなくジッタが１１％以上でもなければ、ステップ５へ進む。
ステップ５ではエラーレートが２番目の基準値５００以上又はジッタが２番目の基準値１０％以上か否かを判断し、エラーレートが５００以上のとき又はジッタが１０％以上のときには、記録品質がある程度悪いので、ステップ８へ進んで１６倍速よりも１段階低速の８倍速の記録速度に減速して記録動作を再開し、ステップ９でＡＴＡ／ＡＴＡＰＩインタフェースを介してホストコンピュータへ記録速度を減速したことを知らせる情報を報知し、ステップ６へ進む。
【００２３】
また、ステップ５でエラーレートが５００以上でもなくジッタが１０％以上でもなければ、ステップ６へ進む。
ステップ６ではバッファメモリに記憶した記録すべき情報の記録が全て終了したか否かを判断し、終了しなければ、ステップ２の処理に戻り、次の所定記録単位１００００ｈの情報について上述のステップ２〜９の処理を実行する。このようにして、光ディスクに所定記録単位１００００ｈの情報を記録する毎に記録動作を一時停止し、上述のステップ２〜９の処理を実行する処理を繰り返し、ステップ６で全ての記録を終了したら、この処理を終了する。
【００２４】
上記記録速度を減速したことを知らせる情報の報知については、光ディスク１３への記録はホストコンピュータ１２上で動作するライターソフトウェアによって、ＣＤ／ＤＶＤ再生記録ドライブ装置１に記録を行っており、ホストコンピュータ１２の図示を省略した制御部（マイクロコンピュータによって実現されるホストコンピュータ１２の全体の制御を司る機能部）が、ＣＤ／ＤＶＤ再生記録ドライブ装置１から記録速度を低減することを報知する信号を受信すると、そのライターソフトウェァの制御処理により、ホストコンピュータ１２の表示部に光ディスク１３への記録がユーザが指定したスピードより遅くなることを説明するメッセージを表示するので、ユーザに記録速度の低減を報知することができる。
このようにして、ユーザが期待している記録速度と実際の記録速度が異なることをユーザに報知するので、ＣＤ／ＤＶＤ再生記録ドライブ装置によって光ディスクに記録する際の使い勝手を向上させることができる。
【００２５】
次に、上述した光ディスク１３への記録中に記録品質が悪くなったときには、記録速度を低減して記録を再開する制御処理の機能を使用するか否かを、ユーザが任意に選択できるようにするとよい。
この記録処理では、ドライブコントローラ１０はホストコンピュータ１２からの設定コマンドにより、上述した記録中に記録速度を低減させて記録を再開する制御を行うか否かを設定する手段の機能を果たす。
【００２６】
図４は、図１に示すＣＤ／ＤＶＤ再生記録ドライブ装置の他の記録処理を示すフローチャート図である。
ドライブコントローラ１０は、ステップ１１でホストコンピュータからの設定コマンドを受信すると、メモリである不揮発性メモリに記憶する。
ステップ１２でホストコンピュータから情報の記録指示があったか否かを判断し、有ったら、ホストコンピュータから記録する情報を受け取り、その記録する情報をバッファメモリに記憶し、不揮発性メモリを参照し、設定コマンドが記憶されていたら、ステップ１３で記録速度制限コマンドか否かを判断する。
【００２７】
ステップ１３の判断で光ディスクへの記録中に記録品質が悪くなったときには記録速度を低減して記録を再開する機能を使用することを示す記録速度制限コマンドであれば、ステップ１４へ進んで光ディスクに１６倍速のＣＡＶ方式で記録を開始し、ステップ１５で記録する情報の内の所定単位：１００００ｈの情報を記録した後に記録処理（記録動作）を一時停止し、予め設定した所定位置（上記記録した情報の終端アドレスから１００ｈ前のアドレス）に記録した情報を再生して記録品質値であるエラーレートとジッタを求める。
【００２８】
ステップ１７でエラーレートが１番目の基準値１０００以上又はジッタが１番目の基準値１１％以上か否かを判断し、エラーレートが１０００以上のとき又はジッタが１１％以上のときには、記録品質がかなり悪いので、ステップ２１へ進んで１６倍速よりも２段階低速の４倍速の記録速度に減速して記録動作を再開し、ステップ２３でＡＴＡ／ＡＴＡＰＩインタフェースを介してホストコンピュータへ記録速度を減速したことを知らせる情報を報知し、ステップ１９へ進む。
また、ステップ１７でエラーレートが１０００以上でもなくジッタが１１％以上でもなければ、ステップ１８へ進む。
【００２９】
ステップ１８ではエラーレートが２番目の基準値５００以上又はジッタが２番目の基準値１０％以上か否かを判断し、エラーレートが５００以上のとき又はジッタが１０％以上のときには、記録品質がある程度悪いので、ステップ２２へ進んで１６倍速よりも１段階低速の８倍速の記録速度に減速して記録動作を再開し、ステップ２３でＡＴＡ／ＡＴＡＰＩインタフェースを介してホストコンピュータへ記録速度を減速したことを知らせる情報を報知し、ステップ１９へ進む。
また、ステップ１８でエラーレートが５００以上でもなくジッタが１０％以上でもなければ、ステップ１９へ進む。
【００３０】
ステップ１９ではバッファメモリに記憶した記録すべき情報の記録が全て終了したか否かを判断し、終了しなければ、ステップ１５の処理に戻り、次の所定記録単位１００００ｈの情報について上述のステップ１５〜１９，２１〜２３の処理を実行する。このようにして、光ディスクに所定記録単位１００００ｈの情報を記録する毎に記録動作を一時停止し、上述のステップ１５〜１９，２１〜２３の処理を実行する処理を繰り返し、ステップ１９で全ての記録を終了したら、この処理を終了する。
一方、ステップ１３で不揮発性メモリに記憶されている設定コマンドが記録速度制限コマンドでなければ、ステップ２０へ進んで記録速度を１６倍速に設定したままバッファメモリに記憶された全ての情報の記録をＣＡＶ方式で記録し、この処理を終了する。
【００３１】
図５は、Ｃ４ｈコマンド（Ｃ４ｈ  Ｃｏｍｍａｎｄ）の仕様を示す図である。
このＣ４ｈコマンドは、光ディスクへの記録中に記録品質が悪くなったときには記録速度を低減して記録を再開する機能を使用するか否かをＣＤ／ＤＶＤ再生記録ドライブ装置１へ通知するコマンドである。
ホストコンピュータ１２側のユーザが記録速度を低減させたくない場合、ホストコンピュータ１２からＣ４ｈコマンドの第１バイトの行に位置するＣＨＫ欄をＣＨＫ＝１として発行してＣＤ／ＤＶＤ再生記録ドライブ装置１へ出力する。
また、光ディスクへの記録中に記録品質が悪くなったときには記録速度を低減して記録を再開する機能を使用際には、Ｃ４ｈコマンドの第１バイトの行に位置するＣＨＫ欄をＣＨＫ＝０とした記録速度制限コマンドを発行してＣＤ／ＤＶＤ再生記録ドライブ装置１へ出力する。
【００３２】
一方、ＣＤ／ＤＶＤ再生記録ドライブ装置１のドライブコントローラ１０は、ホストコンピュータ１２から出力された記録速度制限コマンドを含む設定コマンドを不揮発性メモリ８に記憶する。
そして、ドライブコントローラ１０は、ホストコンピュータ１２から記録指示と記録する情報を受け取ると、記録開始直前に不揮発性メモリ８に記憶された設定コマンドのＣＨＫのビット値を確認し、ＣＨＫのビット値が１の場合は１６倍速の記録速度で全ての情報の記録を行い、ＣＨＫのビット値が０の場合は、図４のステップ１４〜１９，２１〜２３の処理を行う。
このようにして、ユーザが記録速度を低減させたくない場合には記録速度の低減を行わないようにすることができるので、ＣＤ／ＤＶＤ再生記録ドライブ装置においてユーザの意図したとおりの速度で記録することが可能になる。
【００３３】
上述の処理では、記録品質値としてエラーレートとジッタの２種類を用いる場合を説明したが、エラーレートのみ、あるいはジッタのみを求め、上述と同様にして、その求めた値が予め設定した基準値以上と判断したときには、記録速度を１６倍速から低減して記録を再開する処理を行うようにしても良い。
また、エラーレートとジッタについてそれぞれ２種類の基準値を用いたが、１種類の基準値を用いてもよい。
例えば、記録品質値としてエラーレートを採用し、基準値を１０００にした場合、所定記録単位の情報の記録後にその記録した情報に基づいてエラーレートを求め、そのエラーレートが１０００以上のときには回転速度を１６倍速から４倍速にして記録を再開する。
【００３４】
さらに、エラーレート又はジッタにのそれぞれについて３種類以上の基準値を用いるようにしても良い。
また、上述の処理では所定記録単位の情報を記録する毎に記録速度を維持するか低減するかして記録動作を再開する処理を説明したが、最初の所定記録単位の情報を記録した後に記録速度を維持するか低減するかして記録動作を再開し、それ以後はその記録速度のままで記録動作を継続するようにしても良い。
【００３５】
このＣＤ／ＤＶＤ再生記録ドライブ装置は、直前の記録品質値という直接的な指標に基づいて記録品質が悪いと判断されたときは記録速度を低減して記録することにより、光ディスクに記録する情報の記録品質の悪化を防ぎ、ライトエラーや読み出しエラーとなることを防ぐことができる。
また、光ディスクの所定の一箇所の記録品質値を求めるよりも、複数位置で記録品質値を求めるようにすれば、光ディスクの記録品質をより詳しく知ることができ、記録中に記録品質が悪くなったときに記録速度を低減して記録するので、記録速度の柔軟な制御が可能になり、記録速度を記録品質に応じた最適な速度に低減させることができる。
さらに、記録品質値の程度に応じて記録速度を低減するため、急激に記録品質が悪化する場合においては記録速度を大幅に低減して以降の記録の記録品質の悪化を防ぎ、ライトエラーや読み出しエラーとなることを防ぐことができる。
【産業上の利用可能性】
【００３６】
この発明による情報記録装置は、ＭＯ、ＣＤ系ディスク、ＤＶＤ系ディスクを含む記録媒体に情報を記録する情報記録装置全般に適用することができる。
【図面の簡単な説明】
【００３７】
【図１】この発明の実施例のＣＤ／ＤＶＤ再生記録ドライブ装置の構成を示すブロック図である。
【図２】ＥＣＣブロックのフォーマットを示す図である。
【図３】図１に示すＣＤ／ＤＶＤ再生記録ドライブ装置の記録処理を示すフローチャート図である。
【図４】図１に示すＣＤ／ＤＶＤ再生記録ドライブ装置の他の記録処理を示すフローチャート図である。
【図５】Ｃ４ｈコマンドの仕様を示す図である。
【符号の説明】
【００３８】
１：ＣＤ／ＤＶＤ再生記録ドライブ装置    ２：モータ    ３：回転制御部    ４：光ピックアップ    ５：レーザ駆動部    ６：アクチュエータ制御部    ７：信号制御部    ８：不揮発性メモリ    ９：バッファメモリ    １０：ドライブコントローラ    １１：ＡＴＡ／ＡＴＡＰＩインタフェース    １２：ホストコンピュータ
【図１】
2006244670.tif 000003
【図２】
2006244670.tif 000004
【図３】
2006244670.tif 000005
【図４】
2006244670.tif 000006
【図５】
2006244670.tif 000007